(57)【特許請求の範囲】
【請求項１】
交流電圧から直流電圧を取り出す主電源手段と、前記主電源手段の電源電圧が低下した場合、前記主電源手段の電源電圧低下を検出して前記主電源手段を停止状態にする電圧低下検出制御手段と、トランス１次側の交流電圧を間欠的に出力し、トランス２次側の交流電圧を蓄電する補助電源手段と、前記補助電源手段のトランス２次側から交流電圧を検出し、検出された交流電圧をパルス電圧に変換し、変換されたパルス電圧を積分し、積分された電圧が基準電圧以上になったことを検出し、前記電圧低下検出制御手段を制御する瞬間停電検出時間調整手段と、を備えた電源システム。
【発明の詳細な説明】
【０００１】
【発明の属する技術分野】
本発明は、各種電子電気機器に対して待機電力を供給する電源回路、特に省電力型の電源回路に関するものである。
【０００２】
【従来の技術】
近年は電子電気機器の低消費電力化が叫ばれており、リモコン待機電力を供給するための補助電源装置においても同様に低消費電力化が必要となっている。その補助電源装置の低消費電力化を解決するものとして、例えば特開２０００−１１６０２７号公報に記載された間欠制御電源装置がある。これはトランス１次側へ間欠的に電流を供給するようにして、不要な電力を消費しないように構成したものである。図４の代表的な構成図を用いてその回路動作を説明する。
【０００３】
トランス１１の２次側出力電圧は電圧検出回路１３で検出され、フォトカプラ１２を介してトランス５の１次側のスイッチング素子制御回路１０にフィードバックされる。スイッチング素子制御回路１０はスイッチング素子９をオン／オフ動作させ、トランス１１の１次側巻線へ電流を間欠的に流すことで２次側出力電圧を一定に保ち、トランス１１の励磁電力によるロス（無負荷時のトランス内の消費電力、鉄損）を低減することができる。また、２次側整流コンデンサ１５を大容量にすることでトランス１１の導通時間が短くなり、更にトランス１１の励磁電力によるロスを低減させることができる。
【０００４】
【発明が解決しようとする課題】
ところが、電子電気機器の補助電源装置に上述したような２次側整流コンデンサが大容量になる間欠制御電源装置を用いる場合、または補助電源装置負荷が軽い場合、以下のような課題が発生する。
【０００５】
従来の電子電気機器において、通常動作時に回路部品の短絡故障等により主電源装置の電源電圧が低下した場合、図４の代表的な構成図に示すよに、動作異常（電圧低下）検出回路１８がマイコン１６に信号を送り主電源装置の開閉装置２をオフし、主電源装置を停止状態する保護回路を構成しているものがある。しかし補助電源装置に上述の間欠制御電源装置を用いた場合、図６の瞬間停電時、主電源装置出力／補助電源装置出力立上り立下りタイミング波形に示すように、２次側整流コンデンサ１５が大容量のため瞬間停電時に主電源装置は停止するがマイコンに電源を供給する補助電源装置は動作を続ける状態が発生する。また、この現象は補助電源装置の負荷が軽い場合にも発生する。
【０００６】
この時、上記の動作異常（電圧低下）検出回路１８が主電源装置の電源電圧低下を検出し、マイコン１６が主電源装置の開閉装置２をオフするため主電源装置が停止し、保護回路の誤動作が発生する。この後、瞬間停電が復帰しても主電源装置は停止したままの状態となる。
【０００９】
【課題を解決するための手段】
本願発明の電源システムは、交流電圧から直流電圧を取り出す主電源手段と、前記主電源手段の電源電圧が低下した場合、前記主電源手段の電源電圧低下を検出して前記主電源手段を停止状態にする電圧低下検出制御手段と、トランス１次側の交流電圧を間欠的に出力し、トランス２次側の交流電圧を蓄電する補助電源手段と、前記補助電源手段のトランス２次側から交流電圧を検出し、検出された交流電圧をパルス電圧に変換し、変換されたパルス電圧を積分し、積分された電圧が基準電圧以上になったことを検出し、前記電圧低下検出制御手段を制御する瞬間停電検出時間調整手段と、を備えたことを特徴とする。本構成により、瞬間停電時には電圧低下検出制御手段の動作を停止させ、瞬間停電復帰後には電圧低下検出制御手段の動作を再開させることで、主電源装置を再起動させることが可能となるとともに、基準電圧の設定により瞬間停電検出の感度を変えることができ、電圧低下検出制御手段の動作を停止させる瞬間停電検出時間を容易に調整することが可能となる。
【００１０】
【発明の実施の形態】
本発明の実施の形態を図面に基づいて以下に説明する。
【００１１】
（実施の形態１）
図１は、本発明の電源回路の一実施の形態である。従来の電子電気機器において、通常動作時に回路部品の短絡故障等により主電源装置の電源電圧が低下した場合、動作異常（電圧低下）検出回路１８が負荷回路１７の電源電圧の低下を検出しマイコン１６にＨＩの検出信号を送り、マイコン１６が主電源装置の開閉装置２をオフして交流電圧を遮断し主電源装置を停止する保護回路を構成しているものがある。
【００１２】
しかし補助電源装置に前述の間欠制御電源装置を用いた場合２次側整流コンデンサ１５の容量が大きいために、瞬間停電時に主電源装置は停止するがマイコン１６に電源を供給する補助電源装置は動作を続ける状態が発生する。この時、上記の動作異常（電圧低下）検出回路１８が主電源装置の電源電圧低下を検出し、マイコン１６が主電源装置の開閉装置２をオフするため主電源装置が停止し保護回路の誤動作が発生する。この後、瞬間停電が復帰しても主電源装置は停止したままの状態となる。
【００１３】
この瞬間停電時の保護回路の誤動作を防ぐため、瞬間停電時の交流電圧１を検出し、動作異常（電圧低下）検出回路１８の検出信号をＬＯＷにする瞬間停電検出主電源装置停止解除回路を構成する。次に図５の信号波形を用いてその瞬間停電検出主電源装置停止解除回路の動作について説明する。交流電圧１は間欠制御補助電源装置のＡＣトランス１１の２次側に電圧変換され（波形Ａ）、整流ダイオード１９で波形Ｂのように整流される。次に波形Ｂはパルス変換回路２０により設定されたスレッシュ電圧以下の信号の部分がパルス電圧波形に変換される（波形Ｃ）。波形Ｃは積分回路２１により積分される（波形Ｄ）。通常動作時、パルス電圧波形Ｃは整流後交流電圧波形Ｂのパルス電圧検出スレッシュ電圧以下になる期間が短いためパルス電圧幅が狭く、積分電圧Ｄは低い状態を保つ。瞬間停電時、パルス電圧波形Ｃは整流後交流電圧波形Ｂのパルス電圧検出スレッシュ電圧以下になる期間が長くなるためパルス電圧幅が広くなり、積分電圧Ｄは上昇する。積分電圧Ｄが瞬間停電検出スレッシュ電圧を越えると主電源装置停止解除トランジスタ２３がオンし、動作異常（電圧低下）検出回路１８の検出信号をＬＯＷにする。よってマイコン１６は動作異常（電圧低下）検出回路１８の検出信号を受けず、瞬間停電時に主電源装置が停止する誤動作を防ぐことができる。
【００１４】
（実施の形態２）
図２は、本願第２発明の電源回路の実施の形態である。従来の電子電気機器において、通常動作時に回路部品の短絡故障等により主電源装置の電源電圧が低下した場合、動作異常（電圧低下）検出回路１８が負荷回路１７の電源電圧の低下を検出しマイコン１６にＨＩの検出信号を送り、マイコン１６が主電源装置の開閉装置２をオフして交流電圧を遮断し主電源装置を停止する保護回路を構成しているものがある。
【００１５】
しかし補助電源装置に前述の間欠制御電源装置を用いた場合２次側整流コンデンサ１５の容量が大きいために、瞬間停電時に主電源装置は停止するがマイコン１６に電源を供給する補助電源装置は動作を続ける状態が発生する。この時、上記の動作異常（電圧低下）検出回路１８が主電源装置の電源電圧低下を検出し、マイコン１６が主電源装置の開閉装置２をオフするため主電源装置が停止し保護回路の誤動作が発生する。この後、瞬間停電が復帰しても主電源装置は停止したままの状態となる。
【００１６】
この瞬間停電時の保護回路の誤動作を防ぐため、瞬間停電時の交流電圧１を検出し、マイコン１６の電源をマイコン電源スイッチ２４でオフし瞬間停電復帰後にはマイコン１６の電源をオンする瞬間停電検出マイコン再起動回路を構成する。次に図５の信号波形を用いてその瞬間停電検出マイコン再起動回路の動作について説明する。交流電圧１は間欠制御補助電源装置のＡＣトランス１１の２次側に電圧変換され（波形Ａ）、整流ダイオード１９で波形Ｂのように整流される。
【００１７】
次に波形Ｂはパルス変換回路２０により設定されたスレッシュ電圧以下の信号の部分がパルス電圧波形に変換される（波形Ｃ）。波形Ｃは積分回路２１により積分される（波形Ｄ）。通常動作時、パルス電圧波形Ｃは整流後交流電圧波形Ｂのパルス電圧検出スレッシュ電圧以下になる期間が短いためパルス電圧幅が狭く、積分電圧Ｄは低い状態を保つ。瞬間停電時、パルス電圧波形Ｃは整流後交流電圧波形Ｂのパルス電圧検出スレッシュ電圧以下になる期間が長くなるためパルス電圧幅が広くなり、積分電圧Ｄは上昇する。
【００１８】
積分電圧Ｄが瞬間停電検出スレッシュ電圧を越えるとマイコン電源スイッチ制御トランジスタ２５がオンしマイコン電源スイッチ２４がオフする。マイコン１６に動作異常（電圧低下）検出回路１８の検出信号が入力されるが、マイコン電源がオフし動作停止しているため検出信号を受け付けない。瞬間停電が復帰すると積分回路２１の出力は低下するためマイコン電源スイッチ制御トランジスタ２５がオフしマイコン電源スイッチ２４がオンするためマイコン１６が再起動する。もしマイコン１６が瞬間停電を検出したとしても、マイコン電源のオフ／オン動作によりリセットが掛かるため、主電源装置を再起動することができる。
【００１９】
（実施の形態３）
図３は、本発明の第３の実施例である電源回路の実施の形態である。従来の電子電気機器において、通常動作時に回路部品の短絡故障等により主電源装置の電源電圧が低下した場合、動作異常（電圧低下）検出回路１８が負荷回路１７の電源電圧の低下を検出しマイコン１６にＨＩの検出信号を送り、マイコン１６が主電源装置の開閉装置２をオフして交流電圧を遮断し主電源装置を停止する保護回路を構成しているものがある。
【００２０】
しかし補助電源装置に前述の間欠制御電源装置を用いた場合２次側整流コンデンサ１５の容量が大きいために、瞬間停電時に主電源装置は停止するがマイコン１６に電源を供給する補助電源装置は動作を続ける状態が発生する。この時、上記の動作異常（電圧低下）検出回路１８が主電源装置の電源電圧低下を検出し、マイコン１６が主電源装置の開閉装置２をオフするため主電源装置が停止し保護回路の誤動作が発生する。この後、瞬間停電が復帰しても主電源装置は停止したままの状態となる。
【００２１】
この瞬間停電時の保護回路の誤動作を防ぐため、前記実施の形態１及び２の構成が有効ではあるが、実施の形態２（図２）の場合、瞬間停電時間の検出をマイコン電源スイッチ制御トランジスタ２５のベース抵抗の調整で行なうことから微調整を行なうことができない。またトランジスタ２５の温度特性により検出時間が変化することが考えられる。そこで、マイコン電源を停止させる瞬間停電検出時間を容易に調整することができるように瞬間停電検出時間調整回路２２を構成する。
【００２２】
次に図５の信号波形を用いて、その瞬間停電検出時間調整回路２２の動作について説明する。交流電圧１は間欠制御補助電源装置のＡＣトランス１１の２次側に電圧変換され（波形Ａ）、整流ダイオード１９で波形Ｂのように整流される。次に波形Ｂはパルス変換回路２０により設定されたスレッシュ電圧以下の信号の部分がパルス電圧波形に変換される（波形Ｃ）。波形Ｃは積分回路２１により積分される（波形Ｄ）。通常動作時、パルス電圧波形Ｃは整流後交流電圧波形Ｂのパルス電圧検出スレッシュ電圧以下になる期間が短いためパルス電圧幅が狭く、積分電圧Ｄは低い状態を保つ。
【００２３】
瞬間停電時、パルス電圧波形Ｃは整流後交流電圧波形Ｂのパルス電圧検出スレッシュ電圧以下になる期間が長くなるためパルス電圧幅が広くなり、積分電圧Ｄは上昇する。瞬間停電検出時間調整回路２２は積分電圧Ｄが基準電圧以上になると出力がＨＩになる。この基準電圧の設定により容易に積分電圧Ｄ（瞬間停電検出）に対する感度を微調整することができ、瞬間停電検出時間の調整が可能となる。瞬間停電検出時間調整回路２２の出力がＨＩになるとマイコン電源スイッチ制御トランジスタ２５がオンしマイコン電源スイッチ２４がオフする。マイコン１６に動作異常（電圧低下）検出回路１８の検出信号が入力されるが、マイコン電源がオフし動作停止しているため検出信号を受け付けない。瞬間停電が復帰すると積分回路２１の出力は低下するためマイコン電源スイッチ制御トランジスタ２５がオフしマイコン電源スイッチ２４がオンするためマイコン１６が再起動する。もしマイコン１６が瞬間停電を検出したとしても、マイコン電源のオフ／オン動作によりリセットが掛かるため、主電源装置を再起動することができる。
【００２４】
【発明の効果】
上述した通り本発明によれば、従来の電子電気機器の補助電源装置に間欠制御電源装置を用いた場合、瞬間停電が発生しても電源装置が停止する誤動作は起こらず、瞬間停電復帰後に電源装置は起動することができる。
【図面の簡単な説明】
【図１】本願第１発明の電源装置の実施の形態を示す構成図
【図２】本願第２発明の電源装置の実施の形態を示す構成図
【図３】本願第３発明の電源装置の実施の形態を示す構成図
【図４】従来の技術を示す構成図
【図５】通常動作時／瞬間停電時の交流電圧検出波形を示す図
【図６】瞬間停電時の主電源装置出力／補助電源装置出力立上り立下りタイミングを示す図
【符号の説明】
１  交流電圧
２  開閉装置
３  整流回路
４  整流コンデンサ
５  ＳＷトランジスタ
６  トランス
７  整流ダイオード
８  整流コンデンサ
９  スイッチング素子
１０  スイッチング素子制御回路
１１  ＡＣトランス
１２  フォトカプラ
１３  電圧検出回路
１４  整流ダイオード
１５  整流コンデンサ
１６  マイコン
１７  負荷回路
１８  動作異常（電圧低下）検出回路
１９  整流ダイオード
２０  パルス変換回路
２１  積分回路
２２  瞬間停電時間検出調整回路
２３  主電源装置停止解除トランジスタ
２４  マイコン電源スイッチ
２５  マイコン電源スイッチ制御トランジスタ
【図１】
0004174990.tif 000002
【図２】
0004174990.tif 000003
【図３】
0004174990.tif 000004
【図４】
0004174990.tif 000005
【図５】
0004174990.tif 000006
【図６】
0004174990.tif 000007